(57)【特許請求の範囲】
【請求項１】
拡大側から順に、変倍時に固定で負のパワーを有する第１レンズ群と、変倍時に移動する複数のレンズ群と、を有するズームレンズであって、
前記第１レンズ群が負のパワーを有する３つのレンズ群と正のパワーを有する１つのレンズ群からなり、
前記３つのレンズ群のうち、最も拡大側のレンズ群を第１ａ群とし、第１ａ群よりも縮小側に位置するレンズ群を第１ｂ群とし、第１ｂ群よりも縮小側に位置するレンズ群を第１ｃ群とすると、
前記第１ａ群が、フォーカス時に固定で少なくとも１枚の正レンズを含み、
前記第１ｂ群が、無限遠から近距離へのフォーカス時に縮小側へ移動し、
前記第１ｃ群が、無限遠から近距離へのフォーカス時に拡大側へ移動することを特徴とするズームレンズ。
【請求項２】
以下の条件式（１）を満たすことを特徴とする請求項１記載のズームレンズ；
２＜ｆ１ａ／ｆ１＜１０  …（１）
ただし、
ｆ１：第１レンズ群の焦点距離、
ｆ１ａ：第１ａ群の焦点距離、
である。
【請求項３】
以下の条件式（２）及び（３）を満たすことを特徴とする請求項１又は２記載のズームレンズ；
１＜ｆ１ｂ／ｆ１＜５  …（２）
２＜ｆ１ｃ／ｆ１＜１０  …（３）
ただし、
ｆ１：第１レンズ群の焦点距離、
ｆ１ｂ：第１ｂ群の焦点距離、
ｆ１ｃ：第１ｃ群の焦点距離、
である。
【請求項４】
請求項１〜３のいずれか１項に記載のズームレンズと、受光面上に形成された光学像を電気的な信号に変換する撮像素子と、を備え、前記撮像素子の受光面上に被写体の光学像が形成されるように前記ズームレンズが設けられていることを特徴とする撮像光学装置。
【請求項５】
請求項４記載の撮像光学装置を備えることにより、被写体の静止画撮影，動画撮影のうちの少なくとも一方の機能が付加されたことを特徴とするデジタル機器。
【請求項６】
画像を表示する画像表示素子と、光源と、その光源からの光を前記画像表示素子に導く照明光学系と、前記画像表示素子に表示された画像をスクリーン面に拡大投影する請求項１〜３のいずれか１項に記載のズームレンズと、を備えたことを特徴とするプロジェクタ。
【発明の詳細な説明】
【技術分野】
【０００１】
本発明はズームレンズに関するものであり、更に詳しくは、広角でコンパクトなインナーフォーカスズームレンズに関するものである。
【背景技術】
【０００２】
レンズ交換することなく焦点距離を変えることのできるズームレンズは、使用上の利便性やコスト面で大変有利である。しかし、全ての焦点距離や共役長において充分な結像性能の得られないことが多く、とりわけ至近距離で高い結像性能を得ることは困難である。また、無限遠距離から至近距離にフォーカシングする際の画角の変動を抑えることも困難であるが、それを抑えるための技術はあまり知られていない。これらの問題を解決するために、複数の群をフォーカス群として用いるフローティングと呼ばれる技術が、特許文献１〜５で提案されている。
【０００３】
例えば、特許文献１記載のズームレンズは、負トップズームで第２レンズ群のインナーフォーカスを採用している。特許文献２記載のズームレンズは、負トップズームで第１レンズ群が有する負群と正群でのフォーカスを採用しており、特許文献３記載のズームレンズは、負トップズームで第１レンズ群が有する２つの負群でのフォーカスを採用しており、特許文献４記載のズームレンズは、負トップズームで第１レンズ群が有する負群と正群でのフォーカスを採用している。また、特許文献５記載のズームレンズは、正トップズームで第１レンズ群が固定の負群と２つの正群から成り、２つの正群でハの字フォーカスを行う構成になっている。
【先行技術文献】
【特許文献】
【０００４】
【特許文献１】特開２００９−１６９０５１号公報
【特許文献２】特開平１１−０９５１００号公報
【特許文献３】特開２００２−３５７７７１号公報
【特許文献４】特開２００８−２５７００５号公報
【特許文献５】特開平０９−２５８１０２号公報
【発明の概要】
【発明が解決しようとする課題】
【０００５】
特許文献１に記載のズームレンズでは、フォーカス群とズーム群が共用になっているため、フォーカシング時の焦点距離変動（画角変動）が大きくなるという問題がある。特許文献２〜４に記載のズームレンズでは、第１レンズ群中のすべての群を動かしているため、必然的にパワーの強い群をフォーカシングで動かすことになり、画角変動を抑えることができないという問題がある。さらに、特許文献１〜４に記載のズームレンズは前玉が可動なので、全ての共役長で周辺光量を確保するために前玉径に余裕を持たせる必要がある。また、特許文献５に記載のズームレンズでは、第１レンズ群が正のパワーを有しているため、広画角化を図ろうとするとレンズ径が大きくなってしまう。
【０００６】
本発明はこのような状況に鑑みてなされたものであって、その目的は、無限遠距離から至近距離までの全ての共役長で高い結像性能を得ることができ、かつ、フォーカシングでの画角変動が少ない、広角でコンパクトなズームレンズを提供することにある。
【課題を解決するための手段】
【０００７】
上記目的を達成するために、第１の発明のズームレンズは、拡大側から順に、変倍時に固定で負のパワーを有する第１レンズ群と、変倍時に移動する複数のレンズ群と、を有するズームレンズであって、前記第１レンズ群が負のパワーを有する３つのレンズ群と正のパワーを有する１つのレンズ群からなり、前記３つのレンズ群のうち、最も拡大側のレンズ群を第１ａ群とし、第１ａ群よりも縮小側に位置するレンズ群を第１ｂ群とし、第１ｂ群よりも縮小側に位置するレンズ群を第１ｃ群とすると、前記第１ａ群が、フォーカス時に固定で少なくとも１枚の正レンズを含み、前記第１ｂ群が、無限遠から近距離へのフォーカス時に縮小側へ移動し、前記第１ｃ群が、無限遠から近距離へのフォーカス時に拡大側へ移動することを特徴とする。
【０００８】
第２の発明のズームレンズは、上記第１の発明において、以下の条件式（１）を満たすことを特徴とする。
２＜ｆ１ａ／ｆ１＜１０  …（１）
ただし、
ｆ１：第１レンズ群の焦点距離、
ｆ１ａ：第１ａ群の焦点距離、
である。
【０００９】
第３の発明のズームレンズは、上記第１又は第２の発明において、以下の条件式（２）及び（３）を満たすことを特徴とする。
１＜ｆ１ｂ／ｆ１＜５  …（２）
２＜ｆ１ｃ／ｆ１＜１０  …（３）
ただし、
ｆ１：第１レンズ群の焦点距離、
ｆ１ｂ：第１ｂ群の焦点距離、
ｆ１ｃ：第１ｃ群の焦点距離、
である。
【００１０】
第４の発明の撮像光学装置は、上記第１〜第３のいずれか１つの発明に係るズームレンズと、受光面上に形成された光学像を電気的な信号に変換する撮像素子と、を備え、前記撮像素子の受光面上に被写体の光学像が形成されるように前記ズームレンズが設けられていることを特徴とする。
【００１１】
第５の発明のデジタル機器は、上記第４の発明に係る撮像光学装置を備えることにより、被写体の静止画撮影，動画撮影のうちの少なくとも一方の機能が付加されたことを特徴とする。
【００１２】
第６の発明のプロジェクタは、画像を表示する画像表示素子と、光源と、その光源からの光を前記画像表示素子に導く照明光学系と、前記画像表示素子に表示された画像をスクリーン面に拡大投影する上記第１〜第３のいずれか１つの発明に係るズームレンズと、を備えたことを特徴とする。
【発明の効果】
【００１３】
本発明によれば、負のパワーを有する第１レンズ群が負のパワーを有する特徴的な３つのレンズ群を含んだインナーフォーカス構成になっているため、無限遠距離から至近距離までの全ての共役長で高い結像性能を得ることができ、かつ、フォーカシングでの画角変動を少なくし、広角化及びコンパクト化を達成することができる。
【図面の簡単な説明】
【００１４】
【図１】第１の実施の形態（実施例１）の光路図。
【図２】第２の実施の形態（実施例２）の光路図。
【図３】実施例１の望遠端，無限遠物体距離時の収差図。
【図４】実施例１の望遠端，最近接物体距離時の収差図。
【図５】実施例１の中間ポジション，無限遠物体距離時の収差図。
【図６】実施例１の中間ポジション，最近接物体距離時の収差図。
【図７】実施例１の広角端，無限遠物体距離時の収差図。
【図８】実施例１の広角端，最近接物体距離時の収差図。
【図９】実施例２の望遠端，無限遠物体距離時の収差図。
【図１０】実施例２の望遠端，最近接物体距離時の収差図。
【図１１】実施例２の中間ポジション，無限遠物体距離時の収差図。
【図１２】実施例２の中間ポジション，最近接物体距離時の収差図。
【図１３】実施例２の広角端，無限遠物体距離時の収差図。
【図１４】実施例２の広角端，最近接物体距離時の収差図。
【図１５】光学ガラスのアッベ数と部分分散比との関係を示すグラフ。
【図１６】ズームレンズを搭載したデジタル機器の概略構成例を示す模式図。
【発明を実施するための形態】
【００１５】
以下、本発明に係るズームレンズ等を説明する。本発明に係るズームレンズは、拡大側から順に、変倍時に固定で負のパワーを有する第１レンズ群と、変倍時に移動する複数のレンズ群と、を有するズームレンズである（パワー：焦点距離の逆数で定義される量）。そして、前記第１レンズ群が負のパワーを有する３つのレンズ群を含み、前記３つのレンズ群のうち、最も拡大側のレンズ群を第１ａ群とし、第１ａ群よりも縮小側に位置するレンズ群を第１ｂ群とし、第１ｂ群よりも縮小側に位置するレンズ群を第１ｃ群とすると、前記第１ａ群が、フォーカス時に固定で少なくとも１枚の正レンズを含み、前記第１ｂ群が、無限遠から近距離へのフォーカス時に縮小側へ移動し、前記第１ｃ群が、無限遠から近距離へのフォーカス時に拡大側へ移動することを特徴としている。
【００１６】
第１レンズ群に負のパワーを持たせれば、広画角を達成しやすくなる。また、フォーカシングの際に強すぎないパワーを持つ複数のレンズ群を動かせば、無限遠距離から至近距離までの全ての共役長で画角変動をコントロールしつつ高い結像性能を得ることが可能になる。したがって、固定群（第１ａ群に相当する。）を設け、それに負のパワーを持たせることが効果的である。すべての群が負のパワーを持つようにすれば、固定群，移動群のそれぞれのパワーを抑えることができるので、収差補正には有利である。また、移動群（第１ｂ群，第１ｃ群に相当する。）を互いに逆方向に動かせば、フォーカシングの際の画角変動を抑えることができる。
【００１７】
全体で負のパワーを持つ第１レンズ群において、最も拡大側の第１ａ群に正レンズを配し、続く第１ｂ群と第１ｃ群に負のパワーを持たせることにより、９０度近い広画角でも歪曲収差や倍率色収差を効果的に補正することができる。負のパワーを持つ第１ａ群を固定し、残る負のパワーを持つ第１ｂ群と第１ｃ群を独立して移動させることより、フォーカシングの際の画角の変動を抑えつつ、像面湾曲や歪曲収差の変動を効果的に補正することが可能になる。また、第１ａ群を位置固定とすることにより、前玉径に余裕を持たせる必要がなくなり、鏡筒を小さくでき、全長を短く維持することができる。さらに、防塵防滴効果が得られやすく、衝撃に強くなる等の効果もある。
【００１８】
上述したズームレンズの特徴的構成によると、無限遠距離から至近距離までの全ての共役長で高い結像性能を得ることができ、かつ、フォーカシングでの画角変動を少なくし、広角化及びコンパクト化を達成することができる。そして、そのズームレンズをデジタルカメラ，プロジェクタ等のデジタル機器に用いれば、デジタル機器に対し高性能の画像入力機能や画像出力機能を軽量・コンパクトに付加することが可能となる。したがって、デジタル機器のコンパクト化，低コスト化，高性能化，高機能化等に寄与することができる。こういった効果をバランス良く得るとともに、更に高い光学性能，小型化等を達成するための条件等を以下に説明する。
【００１９】
以下の条件式（１）を満たすことが望ましい。
２＜ｆ１ａ／ｆ１＜１０  …（１）
ただし、
ｆ１：第１レンズ群の焦点距離、
ｆ１ａ：第１ａ群の焦点距離、
である。
【００２０】
条件式（１）を満たすことにより、前玉の径の増大を抑えつつ、歪曲や像面湾曲を良好に補正することができる。条件式（１）の下限を下回ると、第１ａ群のパワーが強くなりすぎるため、歪曲や像面湾曲が悪化するおそれがある。条件式（１）の上限を上回っても、歪曲や像面湾曲が悪化するおそれがあるほか、前玉の径の増大にもつながる。
【００２１】
以下の条件式（１ａ）を満たすことが望ましく、条件式（１ｂ）を満たすことが更に望ましい。
２＜ｆ１ａ／ｆ１＜８  …（１ａ）
２＜ｆ１ａ／ｆ１＜６  …（１ｂ）
これらの条件式（１ａ），（１ｂ）は、前記条件式（１）が規定している条件範囲のなかでも、前記観点等に基づいた更に好ましい条件範囲を規定している。したがって、好ましくは条件式（１ａ）、更に好ましくは条件式（１ｂ）を満たすことにより、上記効果をより一層大きくすることができる。
【００２２】
以下の条件式（２）及び（３）を満たすことが望ましい。
１＜ｆ１ｂ／ｆ１＜５  …（２）
２＜ｆ１ｃ／ｆ１＜１０  …（３）
ただし、
ｆ１：第１レンズ群の焦点距離、
ｆ１ｂ：第１ｂ群の焦点距離、
ｆ１ｃ：第１ｃ群の焦点距離、
である。
【００２３】
条件式（２）及び（３）を満たすことにより、広画角化を図りつつ、全ての共役長で諸収差をバランス良く補正することができる。条件式（２）又は条件式（３）の下限を下回ると、フォーカス群のパワーが強くなりすぎるため、全ての共役長で像面湾曲や倍率色収差をバランス良く補正することが困難になる。また、画角を一定に保つことも困難になる。条件式（２）又は条件式（３）の上限を上回ると、フォーカス群のパワーが弱くなり、近接距離でフォーカスを合わせることができなくなる。
【００２４】
以下の条件式（２ａ）を満たすことが望ましく、条件式（２ｂ）を満たすことが更に望ましい。
１＜ｆ１ｂ／ｆ１＜３．５  …（２ａ）
１＜ｆ１ｂ／ｆ１＜３  …（２ｂ）
これらの条件式（２ａ），（２ｂ）は、前記条件式（２）が規定している条件範囲のなかでも、前記観点等に基づいた更に好ましい条件範囲を規定している。したがって、好ましくは条件式（２ａ）、更に好ましくは条件式（２ｂ）を満たすことにより、上記効果をより一層大きくすることができる。
【００２５】
以下の条件式（３ａ）を満たすことが望ましく、条件式（３ｂ）を満たすことが更に望ましい。
２＜ｆ１ｃ／ｆ１＜８  …（３ａ）
２＜ｆ１ｃ／ｆ１＜６  …（３ｂ）
これらの条件式（３ａ），（３ｂ）は、前記条件式（３）が規定している条件範囲のなかでも、前記観点等に基づいた更に好ましい条件範囲を規定している。したがって、好ましくは条件式（３ａ）、更に好ましくは条件式（３ｂ）を満たすことにより、上記効果をより一層大きくすることができる。
【００２６】
本発明に係るズームレンズは、画像入力機能付きデジタル機器用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成するズームレンズと、そのズームレンズにより形成された光学像を電気的な信号に変換する撮像素子と、を備えることにより構成される。そして、撮像素子の受光面（すなわち撮像面）上に被写体の光学像が形成されるように、前述した特徴的構成を有するズームレンズが配置されることにより、小型・低コストで高変倍・高性能の撮像光学装置やそれを備えたデジタル機器を実現することができる。
【００２７】
画像入力機能付きデジタル機器の例としては、シネマ用カメラ，デジタルカメラ，ビデオカメラ，監視カメラ，車載カメラ，テレビ電話用カメラ等のカメラが挙げられ、また、パーソナルコンピュータ，デジタル機器（例えば、携帯電話，モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像光学装置を用いることによりカメラを構成することができるだけでなく、各種機器に撮像光学装置を搭載することによりカメラ機能を付加することが可能である。例えば、カメラ付きプロジェクタ等の画像入力機能付きデジタル機器を構成することが可能である。
【００２８】
図１６（Ａ）に、画像入力機能を有するデジタル機器ＤＵの概略構成例を模式的断面で示す。図１６（Ａ）に示すデジタル機器ＤＵに搭載されている撮像光学装置ＬＵは、物体（すなわち被写体）側から順に、物体の光学像（像面）ＩＭを変倍可能に形成するズームレンズＺＬ（ＡＸ：光軸）と、平行平面板ＰＴ（撮像素子ＳＲのカバーガラス；必要に応じて配置される光学的ローパスフィルター，赤外カットフィルター等の光学フィルター等に相当する。）と、ズームレンズＺＬにより受光面ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００２９】
ズームレンズＺＬは、複数のズーム移動群がそれぞれ光軸ＡＸに沿って移動して各ズーム群間隔を変化させることにより変倍（すなわちズーミング）を行い、最も物体側（拡大側）のズーム群内の２つのフォーカス群がそれぞれ光軸ＡＸに沿って移動することによりフォーカシングを行い（インナーフォーカス）、撮像素子ＳＲの受光面ＳＳ上に光学像ＩＭを形成する構成になっている。撮像素子ＳＲとしては、例えば複数の画素を有するＣＣＤ(Charge Coupled Device)型イメージセンサ，ＣＭＯＳ(Complementary Metal-Oxide Semiconductor)型イメージセンサ等の固体撮像素子が用いられる。ズームレンズＺＬは、撮像素子ＳＲの光電変換部である受光面ＳＳ上に被写体の光学像ＩＭが形成されるように設けられているので、ズームレンズＺＬによって形成された光学像ＩＭは、撮像素子ＳＲによって電気的な信号に変換される。
【００３０】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータから成っており、撮影機能（静止画撮影機能，動画撮影機能等），画像再生機能等の機能の制御；ズーミング，フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００３１】
ここで、第１，第２の実施の形態を挙げて、ズームレンズＺＬの具体的な光学構成を更に詳しく説明する。図１，図２は、第１，第２の実施の形態を構成するズームレンズＺＬにそれぞれ対応する光路図であり、望遠端（Ｔ），中間ポジション（Ｍ，中間焦点距離状態），広角端（Ｗ）でのレンズ配置，光路等を光学断面で示している。図１，図２中、矢印ｍｉ（ｉ＝２，３，…）は、望遠端（Ｔ）から広角端（Ｗ）へのズーミングにおける第ｉレンズ群Ｇｒｉの移動をそれぞれ模式的に示しており、矢印ｍｂ，ｍｃは、無限遠物体距離から最近接物体距離へのフォーカシングにおける第１ｂ群Ｇｒ１ｂ，第１ｃ群Ｇｒ１ｃの移動をそれぞれ模式的に示している。また、第ｊレンズＧｊは拡大側からｊ番目に位置するレンズである。
【００３２】
第１，第２の実施の形態（図１，図２）のズームレンズＺＬは、最も拡大側（物体側）のズーム群及び最も縮小側（像側）のズーム群（絞りＳＴは最終群において最も拡大側に位置する）を固定群とし、それ以外のズーム群を移動群として光軸ＡＸに沿って移動させることによりズーミングを行う構成になっている。例えば、第１の実施の形態（図１）は、拡大側から順に負正正負正のパワーを有する５群構成のズームレンズであり、第１レンズ群Ｇｒ１及び第５レンズ群Ｇｒ５が固定群であり、第２レンズ群Ｇｒ２〜第４レンズ群Ｇｒ４が移動群である。第２の実施の形態（図２）は、拡大側から順に負正負正負正正のパワーを有する７群構成のズームレンズであり、第１レンズ群Ｇｒ１及び第７レンズ群Ｇｒ７が固定群であり、第２レンズ群Ｇｒ２〜第６レンズ群Ｇｒ６が移動群である。
【００３３】
また、ズーム時に固定で負のパワーを有する第１レンズ群Ｇｒ１は、拡大側から順に、第１ａ群Ｇｒ１ａと、第１ｂ群Ｇｒ１ｂと、第１ｆ群Ｇｒ１ｆと、第１ｃ群Ｇｒ１ｃと、の４つのレンズ群で構成されている。その４つのレンズ群のうち、第１ａ群Ｇｒ１ａと第１ｂ群Ｇｒ１ｂと第１ｃ群Ｇｒ１ｃは、負のパワーを有するレンズ群であり、第１ａ群Ｇｒ１ａと第１ｆ群Ｇｒ１ｆは、フォーカス時に固定である。第１ａ群Ｇｒ１ａは少なくとも１枚の正レンズを含み、第１ｂ群Ｇｒ１ｂは無限遠から近距離へのフォーカス時に縮小側へ移動し、第１ｃ群Ｇｒ１ｃは無限遠から近距離へのフォーカス時に拡大側へ移動する構成になっている。
【００３４】
第１，第２の実施の形態において、第１５レンズＧ１５（図１，図２）は石英ガラスから成っている。石英ガラスは、標準的な異常分散性を示すため、色収差を増大させることがなく、かつ、フォーカス位置ずれを良好に補正することができる。石英ガラスは、図１５のグラフではアッベ数Ｖｄ＝６７．７２、部分分差比Ｐ＝０．５２４にあり、標準的な異常分散性を示し、色収差を増大させるおそれがない。また石英ガラスは、その透過率が波長３５０ｎｍで９９．９％（材料の厚さ１０ｍｍ）と充分に大きく、また、色バランスを良好に維持することができる。さらに、石英ガラスは、温度変化に対する屈折率変化率ｄＮ／ｄＴが９．９×１０-6と大きく、正レンズで発生するフォーカス位置のずれを良好に補正し、画質の低下を防ぐことができる。
【００３５】
次に、ズームレンズＺＬを適用したプロジェクタの一実施の形態を説明する。図１６（Ｂ）に、プロジェクタＰＪの概略構成例を示す。このプロジェクタＰＪは、ズームレンズＺＬ，反射ミラー１２，画像表示素子１３，光源１４，照明光学系１５，制御部１６，プリズムＰＲ等を備えている。制御部１６は、プロジェクタＰＪの全体制御を司る部分である。画像表示素子１３は、光を変調して画像を生成する画像変調素子であり、画像を表示する表示面上には、カバーガラスＣＧが設けられている。光源１４からの光は、照明光学系１５，ミラー１２及びプリズムＰＲで画像表示素子１３に導かれる。プリズムＰＲは、例えばＴＩＲプリズム（他に色分離合成プリズム等）から成り、照明光と投影光との分離を行う。画像表示素子１３に表示された画像は、ズームレンズＺＬでスクリーン面１１に拡大投影される。
【００３６】
ズーミングやフォーカシングのために移動するレンズ群には、それぞれ光軸ＡＸに沿って拡大側又は縮小側に移動させるアクチュエータ１７が接続されている。そしてアクチュエータ１７には、移動群の移動制御を行うための制御部１６が接続されている。なお、制御部１６及びアクチュエータ１７については、これを使わず手動でレンズ群を移動させてもよい。
【実施例】
【００３７】
以下、本発明を実施したズームレンズの構成等を、実施例のコンストラクションデータ等を挙げて更に具体的に説明する。ここで挙げる実施例１，２（ＥＸ１，２）は、前述した第１〜第２の実施の形態にそれぞれ対応する数値実施例であり、第１，第２の実施の形態を表す光路図（図１，図２）は、対応する実施例１，２のレンズ構成，光路等をそれぞれ示している。
【００３８】
各実施例のコンストラクションデータでは、面データとして、左側の欄から順に、面番号ｉ，曲率半径ｒ（ｍｍ），軸上面間隔ｄ（ｍｍ），ｄ線（波長５８７．６ｎｍ）に関する屈折率Ｎｄ，ｄ線に関するアッベ数Ｖｄを示す。また、各種データとして、ズーム比を示し、さらに各焦点距離状態（Ｔ），（Ｍ），（Ｗ）について、全系の焦点距離（ＦＬ，ｍｍ），Ｆナンバー（ＦＮＯ），像高（Ｙ’，ｍｍ），レンズ全長（ＴＬ，ｍｍ），バックフォーカス（ＢＦ，ｍｍ），最近接物体距離時の倍率（近端倍率），無限遠物体距離時の半画角（無限ω，°），最近接物体距離時の半画角（近端ω，°），画角変動（％），並びにズーミング及びフォーカシングにおける可変面間隔ｄｉ（ｉ：面番号，ｍｍ）を示し、ズームレンズ群データとして、各レンズ群の焦点距離（ｍｍ）を示す。なお、いずれの実施例においても、無限遠から至近距離まででの画角変動を２％程度に抑えることができている。
【００３９】
なお、バックフォーカスＢＦは、レンズ最終面から近軸像面ＩＭまでの距離を空気換算長により表記しており、レンズ全長ＴＬは、レンズ最前面からレンズ最終面までの距離にバックフォーカスを加えたものである。また、（Ｔ，∞），（Ｍ，∞），（Ｗ，∞）は各焦点距離状態（Ｔ），（Ｍ），（Ｗ）における無限遠物体距離時の可変面間隔ｄｉを示しており、（Ｔ，Ｎ），（Ｍ，Ｎ），（Ｗ，Ｎ）は各焦点距離状態（Ｔ），（Ｍ），（Ｗ）における最近接物体距離時の可変面間隔ｄｉを示している。表１に、各実施例の条件式対応値を示す。
【００４０】
図３〜図８，図９〜図１４は、実施例１，２（ＥＸ１，２）にそれぞれ対応する収差図である。図３，図４，図９，図１０は望遠端（Ｔ）における諸収差を示しており、図５，図６，図１１，図１２は中間ポジション（Ｍ，中間焦点距離状態）における諸収差を示しており、図７，図８，図１３，図１４は広角端（Ｗ）における諸収差を示している。また、図３，図５，図７，図９，図１１，図１３は無限遠物体距離時（無限ポジション：∞）の諸収差を示しており、図４，図６，図８，図１０，図１２，図１４は最近接物体距離時（近端ポジション：Ｎ）の諸収差を示している。
【００４１】
図３〜図１４のそれぞれにおいて、（Ａ）は球面収差（ｍｍ）、（Ｂ）は非点収差（ｍｍ）、（Ｃ）は歪曲収差（％）、（Ｄ）は倍率色収差（ｍｍ）を示している（Ｈ：入射高さ（ｍｍ），Ｙ’：像高（ｍｍ））。（Ａ）の球面収差図において、実線はｅ線（波長５４６．１ｎｍ）に対する球面収差、破線はｇ線（波長４３５．８ｎｍ）に対する球面収差、一点鎖線はＣ線（波長６５６．３ｎｍ）に対する球面収差、をそれぞれ表している。（Ｂ）の非点収差図において、太線で示すｍｅｒ−ｅ，ｍｅｒ−ｇ，ｍｅｒ−Ｃはメリディオナル像面、細線で示すｓａｇ−ｅ，ｓａｇ−ｇ，ｓａｇ−Ｃはサジタル像面であり、実線はｅ線（波長５４６．１ｎｍ）、破線はｇ線（波長４３５．８ｎｍ）、一点鎖線はＣ線（波長６５６．３ｎｍ）に対する非点収差をそれぞれ表している。（Ｃ）の歪曲収差図において実線はｅ線に対する歪曲（％）を表しており、（Ｄ）の倍率色収差図において破線はｇ線（波長４３５．８ｎｍ）、一点鎖線はＣ線（波長６５６．３ｎｍ）に対する倍率色収差をそれぞれ表している。
【００４２】
実施例１
単位：mm
面データ
i        r              d          Nd              Vd
1     166.067
8.632      1.69680         55.5
2     301.160
0.500
3     112.627
8.511      1.71300         53.9
4     191.882
0.500
5      70.555
3.387      1.72916         54.7
6      34.168
9.893
7      62.893
2.371      1.72916         54.7
8      26.769
可変(フォーカス)
9    -113.546
1.393      1.80518         25.5
10      32.822
可変(フォーカス)
11    -134.227
7.178      1.59270         35.5
12     -26.596
0.010
13     -26.596
1.676      1.48749         70.4
14      77.321
2.448
15      93.911
6.396      1.59270         35.5
16     -58.472
可変(フォーカス)
17     -48.591
1.692      1.65412         39.7
18    -196.645
可変(フォーカス・ズーム)
19     297.717
7.272      1.48749         70.4
20     -38.451
3.983
21     133.494
3.558      1.88300         40.8
22      84.814
可変(ズーム)
23      43.901
8.081      1.54814         45.8
24    -158.261
可変(ズーム)
25     -93.075
2.343      1.88300         40.8
26      40.177
0.010
27      40.177
6.403      1.48749         70.4
28     -88.944
0.500
29     105.024
4.726      1.45847         67.7
30     -77.381
可変(ズーム)
31(絞り)    ∞
1.450
32      37.279
6.540      1.59270         35.5
33     -33.425
0.010
34     -33.425
0.839      1.83481         42.7
35      42.507
16.896
36      45.752
6.869      1.49700         81.6
37     -43.520
0.500
38     118.174
5.360      1.49700         81.6
39     -53.071
2.917
40     -38.455
1.024      1.88300         40.8
41      34.631
2.815
42      42.958
7.497      1.49700         81.6
43     -62.483
1.000
44     828.643
4.132      1.49700         81.6
45     -75.958
38.000
46          ∞
1.000      1.51680         64.2
47          ∞
1.000
48          ∞
【００４３】
各種データ
ズーム比       1.61
（Ｔ）        （Ｍ）        （Ｗ）
FL             29.0          22.5          18.0
FNO            3.15          3.15          3.15
Y'             16.8          16.8          16.8
TL            271.2         271.2         271.2
BF             39.7          39.7          39.7
近端倍率    -0.0914       -0.0733       -0.0588
無限ω(°)     31.0          36.8          43.0
近端ω(°)     30.7          36.4          42.2
画角変動(％)  -0.81         -1.08         -1.86
（Ｔ，∞）  （Ｍ，∞）  （Ｗ，∞）  （Ｔ，Ｎ）  （Ｍ，Ｎ）  （Ｗ，Ｎ）
d8     11.642      11.642      11.642      14.515      14.515      14.515
d10    10.761      10.761      10.761       7.888       7.888       7.888
d16     9.995       9.995       9.995       5.261       5.261       5.261
d18     1.666       0.440       0.586       6.400       5.174       5.320
d22     0.500      20.335      38.408       0.500      20.335      38.408
d24     5.292       7.328       9.866       5.292       7.328       9.866
d30    42.392      21.748       0.991      42.392      21.748       0.991
【００４４】
ズームレンズ群データ
群       始面     焦点距離
1         1        -16.876
2        19         90.121
3        23         63.265
4        25       -498.206
5        31         98.491
【００４５】
実施例２
単位：mm
面データ
i        r              d          Nd              Vd
1     232.913
11.380      1.72916         54.7
2    -489.850
3.200
3    -238.540
5.623      1.59270         35.3
4    1555.364
0.500
5     196.039
9.989      1.48749         70.2
6    -332.424
0.500
7     132.022
3.039      1.60300         65.4
8      32.308
可変(フォーカス)
9     -89.867
2.188      1.75700         47.8
10      48.827
可変(フォーカス)
11     -87.815
4.211      1.51633         64.1
12      75.048
0.010
13      75.048
10.000      1.83481         42.7
14     -66.499
可変(フォーカス)
15     -48.310
4.102      1.51633         64.1
16   22216.872
可変(フォーカス・ズーム)
17    -229.144
7.547      1.48749         70.2
18     -52.104
可変(ズーム)
19     154.427
12.826      1.62041         60.3
20     -43.677
0.010
21     -43.677
2.789      1.88300         40.8
22     508.663
可変(ズーム)
23      94.235
11.528      1.59270         35.3
24     -82.541
可変(ズーム)
25    -129.135
3.802      1.88300         40.8
26      55.274
0.010
27      55.274
9.918      1.62041         60.3
28    -291.945
可変(ズーム)
29     165.719
9.394      1.45847         67.7
30     -78.365
可変(ズーム)
31(絞り)    ∞
11.827
32      76.438
8.529      1.59270         35.3
33     -43.225
0.010
34     -43.225
2.051      1.88300         40.8
35     334.850
13.683
36      67.342
6.036      1.49700         81.5
37    -109.202
1.056
38      43.363
6.935      1.49700         81.5
39    -135.874
2.515
40    -245.042
1.805      1.88300         40.8
41      26.368
8.339
42      32.941
4.642      1.49700         81.5
43      66.609
5.264
44    -166.832
3.237      1.49700         81.5
45     -73.012
38.000
46          ∞
2.000      1.51633         64.1
47          ∞
1.000
48          ∞
【００４６】
各種データ
ズーム比       1.77
（Ｔ）        （Ｍ）        （Ｗ）
FL             49.5          37.2          28.0
FNO            2.70          2.70          2.70
Y'             16.8          16.8          16.8
TL            353.3         353.3         353.3
BF             40.3          40.3          40.3
近端倍率    -0.0861       -0.0648       -0.0487
無限ω(°)     18.7          24.4          31.2
近端ω(°)     18.6          24.4          31.1
画角変動(％)  -0.36         -0.23         -0.37
（Ｔ，∞）  （Ｍ，∞）  （Ｗ，∞）  （Ｔ，Ｎ）  （Ｍ，Ｎ）  （Ｗ，Ｎ）
d8     15.368      15.368      15.368      17.757      17.757      17.757
d10    13.570      13.570      13.570      11.181      11.181      11.181
d14    10.909      10.909      10.909       6.223       6.223       6.223
d16     9.107       9.672       5.000      13.793      14.358       9.687
d18     0.500      23.045      56.281       0.500      23.045      56.281
d22     2.183       0.500      13.480       2.183       0.500      13.480
d24     1.206       4.532       2.901       1.206       4.532       2.901
d28     1.728      14.458       0.500       1.728      14.458       0.500
d30    69.938      32.456       6.500      69.938      32.456       6.500
【００４７】
ズームレンズ群データ
群       始面     焦点距離
1         1        -31.396
2        17        135.953
3        19       -282.245
4        23         75.571
5        25       -106.051
6        29        117.051
7        31        200.591
【００４８】
【表１】
0005637110.tif 000002
【符号の説明】
【００４９】
ＤＵ    デジタル機器
ＬＵ    撮像光学装置
ＺＬ    ズームレンズ
Ｇｒ１    第１レンズ群
Ｇｒ２    第２レンズ群
Ｇｒ３    第３レンズ群
Ｇｒ４    第４レンズ群
Ｇｒ５    第５レンズ群
Ｇｒ６    第６レンズ群
Ｇｒ７    第７レンズ群
ＳＴ    絞り
ＳＲ    撮像素子
ＳＳ    受光面（撮像面）
ＩＭ    像面（光学像）
ＡＸ    光軸
１    信号処理部
２    制御部
３    メモリ
４    操作部
５    表示部
ＰＪ    プロジェクタ
１３    画像表示素子
１４    光源
１５    照明光学系
１６    制御部
１７    アクチュエータ
ＰＲ    プリズム
【図１】
0005637110.tif 000003
【図２】
0005637110.tif 000004
【図３】
0005637110.tif 000005
【図４】
0005637110.tif 000006
【図５】
0005637110.tif 000007
【図６】
0005637110.tif 000008
【図７】
0005637110.tif 000009
【図８】
0005637110.tif 000010
【図９】
0005637110.tif 000011
【図１０】
0005637110.tif 000012
【図１１】
0005637110.tif 000013
【図１２】
0005637110.tif 000014
【図１３】
0005637110.tif 000015
【図１４】
0005637110.tif 000016
【図１５】
0005637110.tif 000017
【図１６】
0005637110.tif 000018